(57)【要約】【課題】調理装置と連動した、食事による健康管理をユーザに行わせる。【解決手段】レシピ供給システム（１）は、以下を含む：電子レンジ（４）が調理可能な複数の料理のレシピから、ユーザの活動量データに応じてレシピを選定するレシピ選定部（２５）、選定されたレシピを示す画面を表示させる表示制御部（３８）、ユーザに確認または選択されたレシピのデータの、送信処理の開始を指示する操作処理部（３７）。【選択図】図１
2017054169.tif 000002
【特許請求の範囲】
【請求項１】
レシピが示す料理を調理する調理装置、ユーザのバイタルデータを計測するセンサ、上記調理装置が調理可能な複数の料理のレシピを管理する管理装置、および上記管理装置へ処理の実行を指示する指示装置を含み、上記調理装置に対して、上記レシピを供給するシステムであって、
上記システムは、以下を含む；
上記管理装置において、上記複数の料理のレシピから、上記センサが計測した１または複数のユーザの上記バイタルデータに応じてレシピを選定する選定部、
選定された上記レシピを示す画面を上記指示装置または上記調理装置に表示させる表示制御部、
上記画面に示されたレシピのうち、上記指示装置または上記調理装置が受け付けたユーザ操作によってユーザに確認または選択されたレシピのデータを上記管理装置から上記調理装置に送信するための送信処理の開始を上記指示装置または上記調理装置から上記管理装置に指示する指示部、
確認または選択された上記レシピのデータを上記管理装置から上記調理装置に送信する送信部。
【請求項２】
請求項１に記載のシステムは、
上記選定部は、上記複数の料理のレシピから、上記センサが計測した、上記調理装置を使用するユーザが属するグループの各メンバの上記バイタルデータに応じてレシピを選定する。
【請求項３】
請求項１または２に記載のシステムは、
上記選定部は、上記調理装置が過去に調理した料理の名称、または、当該名称および当該名称が示す料理に対するユーザの評価に応じてレシピを選定する。
【請求項４】
調理装置が調理可能な複数の料理のレシピを管理する管理装置へ指示を送信する指示装置であって、
上記指示装置は、以下を含む；
上記管理装置において、上記複数の料理のレシピから、センサが計測した１または複数のユーザのバイタルデータに応じて選定されたレシピを示す画面を表示部に表示させる表示制御部、
上記画面に示された上記レシピのうち、操作部が受け付けたユーザ操作によって確認または選択されたレシピのデータを上記管理装置から上記調理装置に送信するための送信処理の開始を上記管理装置に指示する指示部。
【請求項５】
調理装置が調理可能な複数の料理のレシピを管理する管理装置であって、
上記管理装置は、以下を含む；
上記複数の料理のレシピから、センサが計測した１または複数のユーザのバイタルデータに応じてレシピを選定する選定部、
上記選定部が選定したレシピのうち、上記管理装置に指示を送信する指示装置または上記調理装置がユーザに操作されることによって確認または選択されたレシピのデータを上記調理装置に送信する送信部。
【請求項６】
調理可能な複数の料理のレシピから選定されたレシピが示す料理を調理する調理装置であって、
上記調理装置は、以下を含む；
上記複数の料理のレシピから、センサが計測した１または複数のユーザのバイタルデータに応じてレシピを選定する管理装置が送信した、上記レシピを選定したことを示すレシピ選定通知を受信する受信部、
上記レシピ選定通知に応じたメッセージを当該ユーザに報知する報知部、
選定された上記レシピのデータを上記管理装置から取得する取得部。
【発明の詳細な説明】
【技術分野】
【０００１】
本発明は、レシピが示す料理を調理する調理装置に対して、上記レシピを供給するシステムなどに関する。
【背景技術】
【０００２】
ユーザの健康に関する情報を携帯電話などの端末からサーバに送信し、サーバから当該情報に応じたレシピを端末にて受信することで、食事による健康管理をユーザに行わせる技術が従来技術として知られている。特許文献１には、無線端末にて入力された身体情報、生活習慣情報、所望の食材、調理方法に応じて、最適な所要栄養量や最適なメニューを提供するシステムが開示されている。特許文献２には、携帯電話機が測定したユーザの体温、脈拍、体脂肪率などの健康データに応じて健康状態を解析し、当該解析結果に基づいた献立データをユーザに提供するシステムが開示されている。特許文献３には、携帯端末から送信されたユーザの飲食物摂取履歴、健康状態、運動量、位置情報、歩行距離などの情報に応じて、適切な食事メニューや適切な食事を提供する飲食店を紹介するシステムが開示されている。
【０００３】
また、近年、ユーザの操作に応じてレシピをダウンロードし、レシピに応じた調理を行う電子レンジなどの調理装置が開発されている。
【先行技術文献】
【特許文献】
【０００４】
【特許文献１】特開２００７−５８３０８号公報（２００７年３月８日公開）
【特許文献２】特開２００６−７２６６５号公報（２００６年３月１６日公開）
【特許文献３】特開２００８−２７６４３２号公報（２００８年１１月１３日公開）
【発明の概要】
【発明が解決しようとする課題】
【０００５】
しかしながら、上述特許文献１〜３に開示されているシステムは、上記調理装置と連動していないという問題があった。つまり、健康に関する情報に応じて提案されたメニューが、上記調理装置で調理不可能であったり、調理可能であったとしても、改めて上記調理装置を操作して当該メニューのレシピをダウンロードしたりする必要があり、不便であった。本発明は、上記の問題点に鑑みてなされたものであり、その目的は、調理装置と連動した、食事による健康管理をユーザに行わせるシステムなどを提供することにある。
【課題を解決するための手段】
【０００６】
上記の課題を解決するために、本発明の一態様に係るシステムは、レシピが示す料理を調理する調理装置、ユーザのバイタルデータを計測するセンサ、上記調理装置が調理可能な複数の料理のレシピを管理する管理装置、および上記管理装置へ処理の実行を指示する指示装置を含み、上記調理装置に対して、上記レシピを供給するシステムであって、上記システムは、以下を含む；上記管理装置において、上記複数の料理のレシピから、上記センサが計測した１または複数のユーザの上記バイタルデータに応じてレシピを選定する選定部、選定された上記レシピを示す画面を上記指示装置または上記調理装置に表示させる表示制御部、上記画面に示されたレシピのうち、上記指示装置または上記調理装置が受け付けたユーザ操作によってユーザに確認または選択されたレシピのデータを上記管理装置から上記調理装置に送信するための送信処理の開始を上記指示装置または上記調理装置から上記管理装置に指示する指示部、確認または選択された上記レシピのデータを上記管理装置から上記調理装置に送信する送信部。
【０００７】
また、上記の課題を解決するために、本発明の一態様に係る指示装置は、調理装置が調理可能な複数の料理のレシピを管理する管理装置へ指示を送信する指示装置であって、上記指示装置は、以下を含む；上記管理装置において、上記複数の料理のレシピから、センサが計測した１または複数のユーザのバイタルデータに応じて選定されたレシピを示す画面を表示部に表示させる表示制御部、上記画面に示された上記レシピのうち、操作部が受け付けたユーザ操作によって確認または選択されたレシピのデータを上記管理装置から上記調理装置に送信するための送信処理の開始を上記管理装置に指示する指示部。
【０００８】
また、上記の課題を解決するために、本発明の一態様に係る管理装置は、調理装置が調理可能な複数の料理のレシピを管理する管理装置であって、上記管理装置は、以下を含む；上記複数の料理のレシピから、センサが計測した１または複数のユーザのバイタルデータに応じてレシピを選定する選定部、上記選定部が選定したレシピのうち、上記管理装置に指示を送信する指示装置または上記調理装置がユーザに操作されることによって確認または選択されたレシピのデータを上記調理装置に送信する送信部。
【０００９】
また、上記の課題を解決するために、本発明の一態様に係る調理装置は、調理可能な複数の料理のレシピから選定されたレシピが示す料理を調理する調理装置であって、上記調理装置は、以下を含む；上記複数の料理のレシピから、センサが計測した１または複数のユーザのバイタルデータに応じてレシピを選定する管理装置が送信した、上記レシピを選定したことを示すレシピ選定通知を受信する受信部、上記レシピ選定通知に応じたメッセージを当該ユーザに報知する報知部、選定された上記レシピのデータを上記管理装置から取得する取得部。
【発明の効果】
【００１０】
本発明の一態様によれば、調理装置と連動した、食事による健康管理をユーザに行わせることができるという効果を奏する。
【図面の簡単な説明】
【００１１】
【図１】本発明に係るレシピ供給システムを構成する各装置の要部構成の一例を示すブロック図である。
【図２】図１に示すレシピ供給システムの概要を示す図である。
【図３】図１に示すサーバによるレシピの選定方法の概要を示す図である。
【図４】図１に示す携帯端末において、レシピ選定時に表示される画面を示す図である。
【図５】図１に示す携帯端末において表示される、調理ログを含む画面を示す図である。
【図６】図１に示す携帯端末において表示される、料理をユーザが評価する画面を示す図である。
【図７】図１に示すレシピ供給システムが実行するレシピ供給処理の前半部分の流れの一例を示すシーケンス図である。
【図８】図１に示すレシピ供給システムが実行するレシピ供給処理の後半部分の流れの一例を示すシーケンス図である。
【図９】実施形態２に係る携帯端末において、レシピ選定時に表示される画面を示す図である。
【図１０】実施形態２に係るレシピ供給システムが実行するレシピ供給処理の流れの一例を示すシーケンス図である。
【図１１】実施形態３に係る電子レンジに表示される画面を示す図である。
【図１２】実施形態３に係るレシピ供給システムが実行するレシピ供給処理の流れの一例を示すシーケンス図である。
【図１３】図１に示すレシピ供給システムを構成する各装置として利用可能なコンピュータの構成を例示したブロック図である。
【発明を実施するための形態】
【００１２】
〔実施形態１〕
以下、本発明の一実施形態について、図１〜図８に基づいて説明すれば、以下のとおりである。
【００１３】
（レシピ供給システム１）
まず、本実施形態に係るレシピ供給システム１の概要について、図２を参照して説明する。図２はレシピ供給システム１の概要を示す図である。レシピ供給システム１は、図２に示すようにサーバ２（管理装置）、携帯端末３ａ、３ｂ、３ｃ、電子レンジ４、および活動量計５ａ、５ｂ、５ｃを含むシステムである。また、レシピ供給システム１は、電子レンジ４が調理可能な複数の料理のレシピから、予め登録されたユーザ（図２の例ではお父さん、お母さん、太郎くん（子ども））のバイタルデータに応じて選定されたレシピを、所定のユーザの携帯端末３（例えば、お母さんの携帯端末３ｂ）に表示する。そして、携帯端末３ｂにおいてユーザ（例えば、お母さん）が選択したレシピを電子レンジ４に供給する。なお、本実施形態では、図２に示すように複数のユーザのバイタルデータに応じてレシピを選定する例を説明する。また以降、携帯端末３ａ、３ｂ、３ｃおよび活動量計５ａ、５ｂ、５ｃを区別する必要が無い場合は、それぞれ「携帯端末３」および「活動量計５」と表現する場合がある。
【００１４】
サーバ２はユーザのバイタルデータおよびレシピデータを管理する。サーバ２はユーザのバイタルデータに応じてレシピを選定し、選定したレシピを所定のユーザの携帯端末３に送信する。また、サーバ２は電子レンジ４からのレシピのダウンロード要求（レシピＤＬ要求）を受けて、電子レンジ４にレシピを送信する。また、サーバ２は電子レンジ４が過去に調理した料理の履歴（調理ログ）を管理し、携帯端末３から送信された当該料理の味の評価を示す情報（以下、ユーザ評価）を、調理ログと対応付けて管理する。
【００１５】
携帯端末３（指示装置）は、バイタルデータに応じてメニューを提案するサービス（以下、メニュー提案サービス）のアプリケーションを起動することで、サーバ２が選定したレシピを表示する。これにより、ユーザはその日のバイタルデータに応じてサーバ２が選定したレシピを確認することができる。携帯端末３の一例としては、スマートフォン、携帯電話、タブレット端末などが挙げられる。また、携帯端末３は活動量計５（センサ）から取得した活動量をサーバ２に送信する。また、携帯端末３は、サーバ２が選定したレシピのうち、ユーザによって選択されたレシピをダウンロードさせる指示（レシピＤＬ指示）を、サーバ２を介して電子レンジ４に送信する。これにより、ユーザは携帯端末３を操作して電子レンジ４にレシピをダウンロードすることができる。また、携帯端末３は、サーバ２から調理ログを受信し、表示する。さらに、携帯端末３は、ユーザの操作に応じて生成された、調理ログに示される料理のユーザ評価をサーバ２に送信する。つまりユーザは、携帯端末３を操作することで、当該料理に評価をつけることができる。
【００１６】
電子レンジ４はレシピが示す料理を調理する調理装置である。電子レンジ４はレシピＤＬ指示を受けると、レシピＤＬ要求をサーバ２に送信することで、レシピＤＬ指示が示すレシピをダウンロードする。なお、電子レンジ４は上記調理装置の一例であり、レシピが示す料理を調理することができる調理装置であれば、本発明に係る調理装置は電子レンジ４に限定されない。また、電子レンジ４は一般的な電子レンジが備える機能（食材の過熱機能、オーブン機能など）を備えているが、本発明との関連が薄いため、これらの機能の詳細な説明は省略する。
【００１７】
活動量計５はユーザのバイタルデータを測定する装置であり、具体的にはユーザの歩行、家事、デスクワークなどの様々な活動を検知し、当該活動において消費されたカロリーの数値（以下、活動量データ）を携帯端末３に送信する。なお、活動量計５は活動量データとして消費されたカロリーに加え、別の情報を携帯端末３に送信してもよい。例えば、ユーザの歩数を携帯端末３に送信してもよい。また、活動量計５は携帯端末３に内蔵されていてもよい。なお、上記バイタルデータの一例としては活動量データの他に体重、体脂肪率、基礎体温、血圧、睡眠時間などが挙げられるが、この例に限定されるものではない。つまり、活動量計５はユーザのバイタルデータを計測する装置の一例であり、バイタルデータを計測して携帯端末３に送信することができる装置であれば、ユーザのバイタルデータを計測する装置は活動量計５に限定されない。具体的には、上述したバイタルデータを計測する装置であればよく、例えば体重および体脂肪率などを計測する体組成計などであってもよい。また、活動量データには活動量計５を使用しているユーザを識別するためのユーザＩＤが含まれている。
【００１８】
（各装置の構成の詳細）
続いて、レシピ供給システム１に含まれるサーバ２、携帯端末３、電子レンジ４について、図１を参照してより詳細に説明する。図１はレシピ供給システム１を構成するサーバ２、携帯端末３、および電子レンジ４の要部構成の一例を示すブロック図である。
【００１９】
（サーバ２）
図１に示すように、サーバ２は通信部２１、制御部２２、および記憶部２３を備える。通信部２１は携帯端末３および電子レンジ４との通信を行う。具体的には、通信部２１はサーバ２の各部から受け取った各種情報を、携帯端末３および電子レンジ４の少なくとも１つに送信する。また、通信部２１は携帯端末３および電子レンジ４から受信した各種情報をサーバ２の各部に出力する。
【００２０】
制御部２２はサーバ２の機能を統括して制御する。制御部２２はバイタルデータ管理部２４、レシピ選定部２５（選定部、送信部）、およびログ管理部２６を含む。
【００２１】
バイタルデータ管理部２４は携帯端末３から送信されたユーザのバイタルデータを管理する。具体的には、バイタルデータ管理部２４は携帯端末３からユーザのバイタルデータ（本実施形態では、活動量計５が測定した活動量データ）を取得すると、バイタルデータ２７として記憶部２３に記憶する。なお、バイタルデータ２７は各ユーザのユーザＩＤと活動量データとが対応付けられているデータベースであり、バイタルデータ管理部２４は取得したユーザＩＤによってバイタルデータ２７を検索し、特定したユーザＩＤに取得した活動量データを対応付ける。なお、バイタルデータ２７は活動量データ以外のバイタルデータを含んでいてもよい。
【００２２】
また、バイタルデータ管理部２４は携帯端末３から家族全員の活動量データを取得するための活動量データ取得要求を受信すると、ユーザＩＤと電子レンジ４を識別する機器ＩＤとを各グループ（家族）を識別する家族ＩＤに対応付けた家族特定データベース（不図示）を、受信した活動量データ取得要求に含まれるユーザＩＤを用いて検索する。そして、バイタルデータ管理部２４は特定した家族ＩＤに対応付けられたすべてのユーザＩＤ（換言すれば、調理装置を使用するユーザが所属するグループ、すなわち家族のメンバのユーザＩＤ）に、バイタルデータ２７において対応付けられている活動量データを読み出す。そして、バイタルデータ管理部２４は読み出した活動量データと、当該活動量データにバイタルデータ２７において対応付けられているユーザＩＤとを対応付けて携帯端末３に送信する。
【００２３】
また、バイタルデータ管理部２４は携帯端末３からユーザＩＤと、レシピを取得するためのレシピ取得要求とを受信すると、各ユーザのユーザＩＤと、当該ユーザが１日で摂取すべきカロリー（以下、適正摂取カロリー）と、本日ユーザが摂取したカロリー（以下、摂取済カロリー）とを対応付けた摂取カロリー演算データベース（不図示）を、受信したユーザＩＤを用いて検索し、適正摂取カロリーおよび摂取済カロリーを読み出す。ここで、適正摂取カロリーはユーザの目標体重、目標体脂肪率、年齢、現在の体重、現在の体脂肪率などから算出される。なお、当該算出の詳細については既存の技術を用いることができるため、ここでの説明を省略する。また、上述したユーザの目標体重などの情報は、例えば、携帯端末３を用いてユーザが入力した値をバイタルデータ管理部２４が取得し、摂取カロリー演算データベースまたはバイタルデータ２７に格納すればよい。また、摂取済カロリーは携帯端末３を用いてユーザが入力した値をバイタルデータ管理部２４が取得してもよいし、携帯端末３を用いてユーザが入力した料理（すなわち、ユーザが食べた料理）の情報に基づいて、バイタルデータ管理部２４が算出してもよいし、本日ユーザが食べた料理が、電子レンジ４が調理した料理である場合、後述する調理ログ２９から取得してもよい。また、バイタルデータ管理部２４は、受信したユーザＩＤでバイタルデータ２７を検索し、活動量データを読み出す。そして、バイタルデータ管理部２４は、活動量データ、適正摂取カロリー、および摂取済カロリーを用いて、次の食事で摂取すべきカロリー（以下、摂取予定カロリー）を算出し、レシピ選定部２５に出力する。なお、摂取予定カロリーの算出方法はこの例に限定されない。例えば、摂取予定カロリーの算出に他の既存の技術を用いてもよい。
【００２４】
レシピ選定部２５は電子レンジ４が調理可能な複数の料理のレシピからユーザのバイタルデータに応じてレシピを選定する。具体的には、レシピ選定部２５はバイタルデータ管理部２４から取得した摂取予定カロリーを用いて、記憶部２３に記憶されているレシピデータ２８から、適切な料理のレシピを選定する。なお、レシピデータ２８は電子レンジ４が調理可能な複数の料理のレシピのデータであり、各レシピデータはレシピデータを識別するためのレシピＩＤと対応付けられている。本実施形態のレシピデータ２８は、主食、主菜、副菜などのカテゴリで分類されているが、この例に限定されるものではない。より具体的には、レシピ選定部２５は取得した摂取予定カロリーと、レシピデータ２８の各レシピが示す料理のカロリーとを比較し、摂取予定カロリーに近いカロリーの料理のレシピを選定する。なお、レシピ選定部２５はレシピを１つのみ選定してもよいし、複数選定してもよい。また、この選定において、後述する調理ログ２９に含まれる料理名（料理の名称）を参照して、最近電子レンジ４が調理した料理、および最近電子レンジ４が調理した料理に似た料理のレシピを選定の対象から除外したり、調理ログ２９に含まれる料理名およびユーザ評価を参照して、ユーザの評価が高い料理のレシピを優先的に選定したりしてもよい。レシピ選定部２５は選定したレシピデータを、当該レシピデータを識別するためのレシピＩＤとともに携帯端末３に送信する。また、レシピ選定部２５は携帯端末３からレシピＤＬ指示を受信すると、当該レシピＤＬ指示を電子レンジ４に送信する。なお、レシピＤＬ指示の詳細については後述する。また、レシピ選定部２５は電子レンジ４からレシピＤＬ要求を受信すると、レシピＤＬ要求に含まれるレシピＩＤが示すレシピデータを電子レンジ４に送信する。
【００２５】
ここで、図３を参照して、レシピの選定についてより詳細に説明する。図３は、レシピの選定方法の概要を示す図である。なお、図３に示すレシピの選定方法は一例であり、選定方法はこの例に限定されるものではない。
【００２６】
図３に示すように、この例では、お父さんの活動量（消費カロリー）が少ない、お母さんの活動量が中程度、太郎くん（子ども）の活動量が多い場合のレシピの選定について説明する。まず、レシピ選定部２５は、図３に示すように、家族共通の主菜のレシピを選定する。具体的には、レシピ選定部２５は、主菜のカテゴリから各ユーザの摂取予定カロリーよりカロリーが少ない料理のレシピを１つ特定する。続いて、レシピ選定部２５は、各ユーザの摂取予定カロリーの値から、特定した主菜のレシピのカロリーの値を減算し、残余カロリーを算出する。続いて、レシピ選定部２５は、図３に示すようにユーザによって異なる副菜のレシピを選定する。具体的には、レシピ選定部２５は、副菜のカテゴリから各ユーザの残余カロリーに近い値（換言すれば、選定した料理のカロリーの合計値と摂取予定カロリーとの誤差が所定の範囲内）となるように、料理のレシピをそれぞれ特定する。特定するレシピは１つであってもよいし、２つ以上であってもよい。また、各ユーザの残余カロリーに近い値となるような料理が無い場合（例えば、主菜のカロリーのみで摂取予定カロリーに近い値となる場合）、レシピを特定しなくてもよい。また、副菜のレシピを選定するとき、選定された主菜およびその他の副菜と一度に電子レンジ４で調理することができるレシピを優先的に選択してもよい。これにより、電子レンジ４による調理を何度も行う必要が無くなり、調理の効率を向上させることができる。また、この選定において、後述する調理ログ２９に含まれる料理名を参照して、以前に電子レンジ４が調理した料理、および以前に電子レンジ４が調理した料理に似た料理のレシピを選定の対象から除外してもよい。また、主菜を選定するときには、調理ログ２９に含まれる料理名および家族全員のユーザ評価を参照して、家族全員の評価が高い料理のレシピを主菜として優先的に選定し、副菜を選定するときには、料理名および家族のメンバそれぞれのユーザ評価を参照して、各メンバの評価が高い料理のレシピを、当該メンバの副菜として優先的に選定してもよい。また、レシピ選定部２５はメニュー（選定した主菜のレシピデータと副菜のレシピデータとの組み合わせ）の候補を複数選定し、携帯端末３に送信してもよい。この例の場合、ユーザは携帯端末３を操作して電子レンジ４にダウンロードするレシピを選択する。なお、ここまで説明した活動量データを用いたレシピの選定方法は一例であり、活動量データを用いたレシピの選定方法はこの例に限定されない。例えば、レシピの選定に他の既存の技術を用いてもよい。
【００２７】
ログ管理部２６は電子レンジ４が実行した調理の調理ログ２９を管理する。調理ログ２９は電子レンジ４が今までに実行した調理の調理ログの履歴である。なお、以降の説明において、調理ログ２９をテーブル形式のデータ構成であるものとして説明するが、この例に限定されるものではない。具体的には、ログ管理部２６は電子レンジ４から、電子レンジ４が実行した調理の内容を示す調理データを受信すると、記憶部２３に記憶された調理ログ２９のレコードとして当該調理データを記憶する。なお、調理データは、調理した料理の名前（料理名）、調理開始日時、調理終了日時を含むものであるが、調理データが含む情報はこの例に限定されない。例えば、調理した料理のカロリーが含まれていてもよい。また、ログ管理部２６は電子レンジ４から調理データを受信すると、当該調理データが追加された調理ログ２９を携帯端末３に送信する。なお、ログ管理部２６は、電子レンジ４から受信した調理データを携帯端末３に送信する構成であってもよい。また、ログ管理部２６は、携帯端末３から料理のユーザ評価を受信すると、当該ユーザ評価を調理ログ２９と対応付けて管理する。具体的には、調理ログ２９は「評価」のカラムを含み、ログ管理部２６は、受信したユーザ評価に対応付けられている料理名を参照して、当該ユーザ評価を「評価」のカラムの適切なセルに追加する。また、ログ管理部２６は、新たに追加されたレコード（調理データ）の調理終了日時から所定時間が経過したとき、ユーザ評価の入力を促すための通知を携帯端末３に送信する。上記所定時間は、調理が終了してから、ユーザが料理を食べ終わるまでの時間を考慮して決定すればよく、例えば、調理終了日時から２時間後に上記通知が携帯端末３に送信される構成であってもよい。
【００２８】
記憶部２３はサーバ２が使用する各種データを記憶する。図１に示すように、記憶部２３は少なくともバイタルデータ２７、レシピデータ２８、および調理ログ２９を記憶している。なお、バイタルデータ２７、レシピデータ２８、および調理ログ２９の詳細については既に説明しているため、ここでの説明を省略する。また、図に示してはいないが、記憶部２３は上述した家族特定データベースおよび摂取カロリー演算データベースも記憶している。
【００２９】
（携帯端末３）
図１に示すように、携帯端末３はネット通信部３１、制御部３２、表示部３３、操作部３４、および近距離通信部３５を備える。なお以降、表示部３３および操作部３４はタッチパネルとして一体となっているものとして説明するが、この例に限定されるものではない。ネット通信部３１はネットワークを介してサーバ２との通信を行う。具体的には、ネット通信部３１は携帯端末３の各部から受け取った各種情報をサーバ２に送信する。また、ネット通信部３１はサーバ２から受信した各種情報を携帯端末３の各部に出力する。表示部３３は後述する表示制御部３８から入力される画面を表示する。表示部３３としては液晶ディスプレイ（Liquid Crystal Display；ＬＣＤ）が挙げられるが、表示機能を有するものであればＬＣＤに限定されない。操作部３４はユーザの入力操作を取得し、当該入力操作を示す情報を後述する操作処理部３７（指示部）に出力する。上述したように、本実施形態では操作部３４はタッチパネルであるものとして説明するが、物理ボタンであってもよいし、その他の入力デバイスであってもよい。また、複数の入力デバイス（例えば、タッチパネルおよび物理ボタンなど）を備えていてもよい。近距離通信部３５は活動量計５との通信を行う。近距離通信部３５は、Bluetooth（登録商標）などの近距離無線通信を利用して、活動量計５と通信を行う。
【００３０】
制御部３２は携帯端末３の機能を統括して制御する。制御部３２はバイタルデータ取得部３６、操作処理部３７、および表示制御部３８を含む。
【００３１】
バイタルデータ取得部３６は近距離通信部３５を制御して活動量計５から活動量データを取得する。具体的には、バイタルデータ取得部３６は図示しないタイマを参照し、所定の時間となると活動量計５にデータ取得要求を送信し、活動量計５から活動量データを取得する。バイタルデータ取得部３６は、活動量計５から取得した活動量データを、ネット通信部３１を介してサーバ２へ送信する。なお、バイタルデータ取得部３６は、ユーザ操作に応じて活動量データをサーバ２へ送信してもよいし（図４の（ａ）参照）、活動量データを取得した後、自動的に当該活動量データをサーバ２へ送信してもよい。
【００３２】
操作処理部３７は操作部３４に対するユーザ操作に応じた処理を行う。具体的には、操作処理部３７は家族全員の活動量データの取得を示す情報（例えば、メニュー提案サービスのアプリケーションを起動する操作を示す情報）を操作部３４から受け取ると、サーバ２に活動量データ取得要求を送信する。また、操作処理部３７はレシピの取得を示す情報を操作部３４から受け取ると、レシピ取得要求を、ユーザ操作によって選択されたユーザを示すユーザＩＤとともにサーバ２に送信する。また、操作処理部３７はレシピの電子レンジ４へのダウンロード指示を示す情報を操作部３４から受け取ると、レシピＤＬ指示（レシピのデータの送信処理の開始指示）をサーバ２に送信する。なお、レシピＤＬ指示にはレシピデータを識別するためのレシピＩＤが含まれている。
【００３３】
表示制御部３８は取得した各種情報に応じて表示部３３に表示する画面を生成し、表示部３３に表示させる。ここで、図４〜図６を参照して、表示部３３に表示される画面について説明する。図４は、レシピ選定時に表示部３３に表示される画面を示す図であり、図５は、表示部３３に表示される、調理ログを含む画面を示す図であり、図６は、表示部３３に表示される、料理をユーザが評価する画面を示す図である。表示制御部３８はバイタルデータ取得部３６から取得した活動量データに応じて、図４の（ａ）に示す、活動量データをユーザに報知するための画面を生成し、表示部３３に表示させる。これにより、ユーザは１日の活動量データを知ることができる。また、図４の（ａ）に示すように、当該画面にはサーバ送信ボタン６１が含まれている。サーバ送信ボタン６１にタッチする操作を操作部３４が検知すると、操作処理部３７はバイタルデータ取得部３６から取得した活動量データを、ネット通信部３１を介してサーバ２に送信する。
【００３４】
また、表示制御部３８はサーバ２から受信した家族全員の活動量データと、ユーザＩＤとに応じて、図４の（ｂ）に示す、家族全員の活動量データをユーザに報知するための画面を生成し、表示部３３に表示させる。これにより、ユーザは家族全員の１日の活動量データを知ることができる。また、図４の（ｂ）に示すように、当該画面にはサーバ送信ボタン６１と複数のユーザ選択ボックス６２が含まれている。ユーザ選択ボックス６２にタッチする操作を操作部３４が検知すると、ユーザ選択ボックス６２内に、対応するユーザ（ユーザ選択ボックス６２の左側に表示されているユーザ）が選択されたことを示すチェックマークが表示される。また、チェックマークが表示されたユーザ選択ボックス６２にタッチする操作を操作部３４が検知すると、ユーザ選択ボックス６２内に表示されていたチェックマークが非表示となる。さらに、サーバ送信ボタン６１にタッチする操作を操作部３４が検知すると、操作処理部３７はユーザ選択ボックス６２にチェックマークが表示されているユーザを特定し、特定したユーザのユーザＩＤとレシピ取得要求とをサーバ２に送信する。
【００３５】
また、表示制御部３８はサーバ２から受信したレシピデータに応じて、図４の（ｃ）に示す、レシピダウンロード画面（以下、レシピＤＬ画面）を生成し、表示部３３に表示させる。図４の（ｃ）に示すレシピＤＬ画面には、メニューの内容を含むユーザへのアドバイスとともに、レシピダウンロードボタン６３（以下、レシピＤＬボタン６３）が表示されている。なお、図４の（ｃ）では、主菜（焼肉）が選定された結果、残余カロリーよりカロリーが少ない料理が無く、副菜が選定されてない例を示している。レシピＤＬボタン６３にタッチする操作（以下、レシピＤＬ操作）を操作部３４が検知すると、操作処理部３７は電子レンジ４に携帯端末３が受信したレシピデータをダウンロードさせるためのレシピＤＬ指示を、サーバ２に送信する。
【００３６】
なお、サーバ２が複数のメニュー（選定した主菜のレシピデータと副菜のレシピデータとの組み合わせ）を送信した場合、レシピＤＬ画面には当該複数のメニューを示すテキストとともに、上述したユーザ選択ボックス６２のようなチェックボックスが表示されてもよい。この例の場合、ユーザは電子レンジ４へのダウンロードを希望するメニューにチェックマークを付す操作を操作部３４に対して行った後で、レシピＤＬボタン６３にタッチする。これにより、チェックマークが付されたメニューに含まれる料理のレシピデータのレシピＩＤとともに、レシピＤＬ指示がサーバ２に送信される。また、レシピＤＬ画面は、受信したレシピデータの内容を表示するためのＵＩを含んでいてもよいし、受信したレシピデータの内容を含んでいてもよい。
【００３７】
また、表示制御部３８はサーバ２から受信した調理ログ２９に応じて、図５に示す画面を生成し、表示部３３に表示させる。当該画面には、受信した調理ログ２９に基づいて生成された調理ログ画像６４が含まれている。調理ログ画像６４には、「料理名」、「調理開始日時」、「調理終了日時」、および「評価（ユーザ評価）」が含まれている。これにより、ユーザは電子レンジ４にて実行された調理の内容や味の評価を確認することができる。なお、調理ログ画像６４では、ユーザ評価を３つの星マークで表している。具体的には、黒塗りの星マークがその料理の味の評価となる。例えば、図５に示す「ハンバーグ」は２点であり、「ほうれん草のソテー」は１点である。また、星マークの下にある「詳細」は、ユーザ評価の詳細を表示するためのリンクとなっており、当該リンクを選択することで、家族の各メンバの評価を確認することができる。すなわち、調理ログ画像６４に示されているユーザ評価は、各メンバの評価を平均したものである。また、上記リンクを選択したことによって表示された画面で、評価の変更が可能であってもよい。なお、料理を評価したり、評価を変更したりするための画面については後述する。また、調理ログ画像６４は一例であり、この例に限定されるものではない。
【００３８】
また、サーバ２から調理データ（すなわち、調理ログ２９における最新のレコード）を受信する構成の場合、当該画面には調理データ画像（具体的には、図５における料理名が「焼肉」のレコードのみ）が表示される。
【００３９】
また、表示制御部３８は、サーバ２からユーザ評価の入力を促すための通知に応じて、図６に示す画面を生成し、表示部３３に表示させる。なお、上記通知はメール、またはソーシャル・ネットワーク・サービスの書込みなどの形式で携帯端末３に送信されてもよい。図６に示す星マーク６７はユーザのタッチ操作を受け付けるユーザインターフェースとなっており、ユーザは３つの星マークそれぞれをタッチすることで、料理を評価する。例えば、一番左の星マークをタッチすると、タッチされた星マークのみが黒塗りの状態となり、当該状態は１点を示す。また、真ん中の星マークをタッチすると、タッチされた星マークと左の星マークとが黒塗りの状態となり、当該状態は２点を示す。黒塗りの状態となった星マークを再度タッチすることで、白抜きの状態に戻る構成であってもよい。操作処理部３７は、ユーザ評価を決定するための情報（星マーク６７がタッチされたことを示す情報）を操作部３４から受け取り、当該タッチに基づくユーザ評価を保持するとともに、星マーク６７の表示の変更を表示制御部３８に指示する。表示制御部３８は当該指示に基づいて星マーク６７の色を変更し、表示部３３に表示させる。また、ユーザはユーザ評価を決定した後、送信ボタン６６をタッチすることで、ユーザ評価をサーバ２に送信する。つまり、操作処理部３７は、ユーザ評価を送信するための情報（送信ボタン６６がタッチされたことを示す情報）を操作部３４から受け取ると、保持していたユーザ評価を料理名とともにサーバ２に送信する。なお、図６の画面は一例であり、料理を評価するための画面はこの例に限定されない。また、上述した、評価済みのユーザ評価を変更するための画面は図６と同様の画面であってもよいし、異なる画面であってもよい。
【００４０】
（電子レンジ４）
図１に示すように、電子レンジ４は通信部４１、制御部４２、表示部４３、操作部４４、および音声出力部４５を備える。通信部４１はネットワークを介してサーバ２との通信を行う。具体的には、通信部４１は電子レンジ４の各部から受け取った各種情報をサーバ２に送信する。また、通信部４１はサーバ２から受信した各種情報を電子レンジ４の各部に出力する。なお、通信部４１は電子レンジ４と着脱可能な装置（ネットワークアダプタ）に備えられていてもよい。これにより、サーバ２との通信機能を持たない電子レンジ４において、サーバとの通信を可能とすることができる。表示部４３は後述する表示制御部４９から入力される画面を表示する。表示部４３としては液晶ディスプレイ（Liquid Crystal Display；ＬＣＤ）が挙げられるが、表示機能を有するものであればＬＣＤに限定されない。操作部４４はユーザの入力操作を取得し、当該入力操作を示す情報（入力操作に基づく操作信号に応じた情報）を電子レンジ４の各部に出力する。本実施形態では操作部４４は表示部４３と一体となったタッチパネル、および物理ボタンであるものとして説明するが、タッチパネル、または物理ボタンのみであってもよいし、その他の入力デバイスを含んでもよい。音声出力部４５は音声を出力するスピーカである。
【００４１】
制御部４２は電子レンジ４の機能を統括して制御する。制御部４２はレシピ取得部４６（受信部、取得部）、調理実行部４７、音声制御部４８（報知部）、および表示制御部４９を含む。
【００４２】
レシピ取得部４６はサーバ２からレシピデータをダウンロードする。具体的には、レシピ取得部４６はレシピＤＬ指示をサーバ２から受信すると、レシピＤＬ指示に含まれるレシピＩＤとともに、レシピデータをダウンロードするためのレシピＤＬ要求をサーバ２に送信する。また、レシピ取得部４６はダウンロードしたレシピデータを調理実行部４７および表示制御部４９に出力する。
【００４３】
調理実行部４７は電子レンジ４の調理機能を制御する。具体的には、調理実行部４７は操作部４４からの情報に応じて調理を実行する。また、調理実行部４７は表示制御部４９に操作部４４からの情報に応じた画面の生成指示を出力する。さらに、調理実行部４７は調理が完了すると、調理完了を示す画面の生成指示を表示制御部４９に出力するとともに、調理データを生成してサーバ２に送信する。
【００４４】
音声制御部４８は音声出力部４５に出力させる音声データを生成し、音声出力部４５に出力する。具体的には、音声制御部４８はレシピ取得部４６から取得したレシピデータに応じて、新たなレシピデータに関する音声を生成し、音声出力部４５に出力する。なお、音声制御部４８の詳細は後述する実施形態３にて説明する。
【００４５】
表示制御部４９は取得した各種情報に応じて表示部４３に表示する画面を生成し、表示部４３に表示させる。表示制御部４９はレシピ取得部４６から取得したレシピデータに応じて、新たなレシピデータをダウンロードしたことを示す画面を生成し、表示部４３に表示させる。
【００４６】
また、表示制御部４９は調理実行部４７からの指示に応じて画面を生成し、表示部４３に表示する。例えば、ユーザが操作部４４を操作することによって選択した調理モードや、加熱時間、加熱温度などを表示する。さらに、表示制御部４９は調理実行部４７からの指示に応じて、調理完了を示す画面を生成し、表示部４３に表示させる。
【００４７】
（レシピ供給処理の流れ）
次に、図７および図８を参照して、本実施形態に係るレシピ供給システム１が実行するレシピ供給処理の流れについて説明する。図７はレシピ供給処理の前半部分の流れの一例を示すシーケンス図であり、図８はレシピ供給処理の後半部分の流れの一例を示すシーケンス図である。
【００４８】
まず、携帯端末３のバイタルデータ取得部３６は、所定の時間になるとデータ取得要求を活動量計５に送信する（ステップＳ１、以下「ステップ」を省略）。活動量計５は、データ取得要求を取得すると活動量データを携帯端末３に送信する（Ｓ２）。バイタルデータ取得部３６は、取得した活動量データをサーバ２へ送信する（Ｓ３）。サーバ２のバイタルデータ管理部２４は、受信した活動量データを記憶部２３に記憶する（Ｓ４）。
【００４９】
続いて、携帯端末３の操作部３４は、メニュー提案サービスのアプリケーションの起動を待機する状態となっている（Ｓ５）。ここで、操作部３４がメニュー提案サービスのアプリケーションの起動操作を受け付けると（Ｓ５でＹＥＳ）、操作処理部３７は活動量データ取得要求をサーバ２に送信する（Ｓ６）。サーバ２のバイタルデータ管理部２４は、活動量データ取得要求に含まれるユーザＩＤを用いて家族全員の活動量データを特定し、特定した家族全員の活動量データを携帯端末３に送信する（Ｓ７）。
【００５０】
続いて、家族全員の活動量データを取得すると、携帯端末３の表示制御部３８は、家族全員の活動量データをユーザに報知するための画面（図４の（ｂ）参照）を表示部３３に表示させる。そして、操作部３４に対するユーザの操作によって、ユーザ（レシピの選定に活動量データが使用されるユーザ）が選択された後に、サーバ送信ボタン６１がタッチされると、操作処理部３７は選択されたユーザのユーザＩＤとレシピ取得要求とをサーバ２に送信する（Ｓ８）。バイタルデータ管理部２４はレシピ取得要求を受信すると、活動量データを解析し（Ｓ９）、摂取予定カロリーを算出する。そして、当該摂取予定カロリーをレシピ選定部２５に出力する。レシピ選定部２５は、取得した摂取予定カロリーに応じてレシピを選定し（Ｓ１０）、選定したレシピのレシピデータを携帯端末３に送信する（Ｓ１１）。表示制御部３８は、受信したレシピデータに応じてレシピＤＬ画面（図４の（ｃ）参照）を表示部３３に表示させる（Ｓ１２）。
【００５１】
続いて、携帯端末３の操作部３４は、ユーザの操作を待機する状態となっている（Ｓ１３）。ここで、操作部３４がレシピＤＬ操作を受け付けると（Ｓ１３でＹＥＳ）、操作処理部３７はレシピＤＬ指示をサーバ２に送信する（Ｓ１４）。レシピＤＬ指示を受信したサーバ２は、当該レシピＤＬ指示を電子レンジ４に送信する（Ｓ１５）。電子レンジ４のレシピ取得部４６は、レシピＤＬ指示を受信すると、レシピＤＬ指示に含まれていたレシピＩＤとともに、レシピＤＬ要求をサーバ２に送信する。サーバ２のレシピ選定部２５は、レシピＤＬ要求を受信すると、レシピＩＤが示すレシピデータを電子レンジ４に送信する（Ｓ１７）。
【００５２】
続いて、電子レンジ４の調理実行部４７は、調理の実行を待機する状態となっている（Ｓ１８）。ここで、操作部４４に対するユーザの操作に応じて、調理実行部４７がレシピに基づく調理を実行すると（Ｓ１８）、調理の完了後に調理実行部４７は調理データを生成し、サーバ２に送信する（Ｓ１９）。サーバ２のログ管理部２６は、調理データを受信すると、受信した調理データを調理ログ２９に追加するとともに（Ｓ２０）、携帯端末３に当該調理ログ２９を送信する（Ｓ２１）。携帯端末３の表示制御部３８は、調理ログ２９を受信すると調理ログ２９を示す画面（調理ログ画像６４を含む画面）を生成し、表示部３３に表示させる（Ｓ２２）。
【００５３】
続いて、サーバ２のログ管理部２６は、調理データが示す調理終了日時から所定時間が経過することを待機する状態となる（Ｓ２３）。所定時間が経過したとき（Ｓ２３でＹＥＳ）、ログ管理部２６は、ユーザ評価を促す通知を携帯端末３に送信する（Ｓ２４）。携帯端末３の操作処理部３７は、ユーザ操作に基づいて決定されたユーザ評価をサーバ２に送信する（Ｓ２５）。ログ管理部２６は受信したユーザ評価に基づいて、調理ログのユーザ評価を更新する（Ｓ２６）。以上で、レシピ供給処理は終了する。
【００５４】
以上のように、本実施形態に係るレシピ供給システム１は、活動量計５が計測した家族の各メンバ（例えば、お父さん、お母さん、子ども）の活動量データに応じて、サーバ２がレシピを選定し、携帯端末３に送信する。携帯端末３は、選定されたレシピを示すレシピＤＬ画面を表示する。そして、携帯端末３は、レシピＤＬ画面に示されたレシピのうち、ユーザに選択されたレシピを電子レンジ４にダウンロードさせる。これによりユーザは、家族のメンバの活動量データに応じて選定されたレシピを、携帯端末３を操作することで電子レンジ４にダウンロードさせることができる。また、レシピは電子レンジ４が調理可能な複数の料理のレシピであるレシピデータ２８から選定されるので、選定されたレシピが電子レンジ４にダウンロードされることによって、当該レシピが示す料理を電子レンジ４にて調理することができる。よって、調理装置と連動した、食事による健康管理をユーザに行わせることができる。また、ユーザは電子レンジ４の前にいなくても、電子レンジ４にレシピをダウンロードさせることができる。また、家族の各メンバの活動量データに応じてレシピが選定されるので、ユーザに家族単位のメニュー提案を行うことができる。
【００５５】
〔実施形態２〕
本発明の他の実施形態について、図９および図１０に基づいて説明すれば、以下のとおりである。なお、説明の便宜上、前記実施形態にて説明した部材と同じ機能を有する部材については、同じ符号を付記し、その説明を省略する。
【００５６】
本実施形態では、一人のユーザに対してメニュー提案を行う例を説明する。本実施形態に係るサーバ２のバイタルデータ管理部２４は、活動量データを取得すると、当該活動量データを記憶部２３に記憶しない。その代わり、バイタルデータ管理部２４は、取得した活動量データから摂取予定カロリーを算出し、レシピ選定部２５に出力する。なお、摂取予定カロリーの算出方法は、実施形態１にて説明したものと同様であるため、ここでの説明を省略する。
【００５７】
本実施形態に係るレシピ供給システム１について、図９を参照してより詳細に説明する。図９は、本実施形態に係る携帯端末３の表示部３３に表示される画面を示す図である。表示制御部３８は、実施形態１と同様に、バイタルデータ取得部３６から取得した活動量データに応じて、図９の（ａ）に示す、活動量データをユーザに報知するための画面を生成し、表示部３３に表示させる。ここで、サーバ送信ボタン６１にタッチする操作を操作部３４が検知すると、操作処理部３７はバイタルデータ取得部３６から取得した活動量データを、ネット通信部３１を介してサーバ２に送信する。
【００５８】
実施形態１と異なり、本実施形態に係る表示制御部３８は、活動量データをサーバ２に送信した結果として、レシピデータを受信する。そして、表示制御部３８は、図９の（ｂ）に示す、レシピＤＬ画面を生成し、表示部３３に表示させる。
【００５９】
（レシピ供給処理の流れ）
次に、図１０を参照して、本実施形態に係るレシピ供給システム１が実行するレシピ供給処理の流れについて説明する。図１０は、レシピ供給処理の流れの一例を示すシーケンス図である。なお、図１０のＳ３１〜Ｓ３３は、図７のＳ１〜Ｓ３と同様であり、図１０のＳ３５〜Ｓ５１は、図７のＳ１０〜Ｓ１２、および図８のＳ１３〜Ｓ２６と同様であるため、ここでの説明を省略する。
【００６０】
サーバ２のバイタルデータ管理部２４は活動量データを受信すると、当該活動量データを解析し（Ｓ３４）、摂取予定カロリーを算出する。そして、当該摂取予定カロリーをレシピ選定部２５に出力する。
【００６１】
以上のように、本実施形態に係るレシピ供給システム１は、活動量計５が計測したユーザの活動量データに応じて、サーバ２がレシピを選定し、携帯端末３に送信する。携帯端末３は、選定されたレシピを示すレシピＤＬ画面を、当該ユーザの携帯端末３に表示する。そして、携帯端末３は、レシピＤＬ画面に示されたレシピのうち、ユーザに選択されたレシピを電子レンジ４にダウンロードさせる。これによりユーザは、ユーザの活動量に応じて選定されたレシピを、携帯端末３を操作することで電子レンジ４にダウンロードさせることができる。また、レシピは電子レンジ４が調理可能な複数の料理のレシピであるレシピデータ２８から選定されるので、選定されたレシピが電子レンジ４にダウンロードされることによって、当該レシピが示す料理を電子レンジ４にて調理することができる。よって、調理装置と連動した、食事による健康管理をユーザに行わせることができる。また、ユーザは電子レンジ４の前にいなくても、電子レンジ４にレシピをダウンロードさせることができる。
【００６２】
〔実施形態３〕
本発明のさらに別の実施形態について、図１１および図１２に基づいて説明すれば、以下のとおりである。なお、説明の便宜上、前記実施形態にて説明した部材と同じ機能を有する部材については、同じ符号を付記し、その説明を省略する。
【００６３】
本実施形態では、サーバ２がレシピを選定した後、ユーザが電子レンジ４を操作することによって当該レシピを電子レンジ４にダウンロードする例を説明する。この例の詳細について、図１１を参照して説明する。図１１は、本実施形態に係る電子レンジ４に表示される画面を示す図である。本実施形態に係るレシピ選定部２５は、レシピを選定すると、レシピを選定したことを示すレシピ選定通知を電子レンジ４に送信する。
【００６４】
レシピ取得部４６はレシピ選定通知を受信すると、表示制御部４９にその旨を示す画面の生成を指示する。表示制御部４９は、当該指示に従って当該画面を生成し、表示部４３に表示させる。具体的には、図１１の（ａ）に示すように、ユーザが操作可能なＵＩであるお知らせボタン７１を含む画面を表示部４３に表示させる。なお、本実施形態に係る表示部４３は、操作部４４と一体となったタッチパネルである。お知らせボタン７１にタッチする操作を操作部４４が検知すると、操作部４４は当該操作を示す情報を音声制御部４８に出力する。音声制御部４８は操作部４４からの情報を取得すると、活動量に応じて選定されたレシピがある旨を示す音声データ（メッセージ）を生成し、当該メッセージを音声出力部４５に出力させる。そして、メッセージを出力したことを示す情報をレシピ取得部４６に出力する。レシピ取得部４６は当該情報を取得すると、ユーザがメッセージを確認したことを示すメッセージ確認通知をサーバ２に送信する。
【００６５】
レシピ選定部２５はメッセージ確認通知を受信すると、レシピＤＬ指示を電子レンジ４に送信する。レシピ取得部４６はレシピＤＬ指示を受信すると、レシピＤＬ要求をサーバ２に送信する。レシピ選定部２５はレシピＤＬ要求を受信すると、選定したレシピデータを電子レンジ４に送信する。レシピ取得部４６はレシピデータを受信すると、表示制御部４９にレシピデータを受信したことを示す画面の生成を指示するとともに、レシピデータを出力する。表示制御部４９は、レシピ取得部４６の指示に従って当該画面を生成し、表示部４３に表示させる。具体的には、表示制御部４９は、図１１の（ｂ）に示すように、レシピ確認ボタン７２を含む画面を表示部４３に表示させる。レシピ確認ボタン７２にタッチする操作を操作部４４が検知すると、操作部４４は当該操作を示す情報を表示制御部４９に出力する。表示制御部４９は、操作部４４からの情報を取得すると、レシピ取得部４６から取得したレシピデータを表示部４３に表示させる。
【００６６】
なお、ユーザがお知らせボタン７１にタッチしたとき、音声制御部４８による音声の出力に代えて、表示制御部４９が、活動量に応じて選定されたレシピがある旨を示す画面を表示部４３に表示させてもよい。この例の場合、音声出力部４５および音声制御部４８は省略されてもよい。また、本実施形態ではユーザがお知らせボタン７１にタッチしたことを検知することで、ユーザが電子レンジ４の近傍にいることを検知し、メッセージを出力していたが、この例に限定されない。例えば、マイク（不図示）を備え、ユーザの音声を検知することでユーザが電子レンジ４の近傍にいることを検知してもよいし、人感センサ（不図示）を備え、ユーザが電子レンジ４の近傍にいることを検知してもよいし、カメラ（不図示）を備え、映像内にユーザがいることを検知することでユーザが電子レンジ４の近傍にいることを検知してもよい。なお、「電子レンジ４の近傍」とは、ユーザが電子レンジ４から出力されたメッセージを確認することができる範囲を示す。
【００６７】
（レシピ供給処理の流れ）
次に、図１２を参照して、本実施形態に係るレシピ供給システム１が実行するレシピ供給処理の流れについて説明する。図１２は、レシピ供給処理の流れの一例を示すシーケンス図である。なお、図１２では、実施形態２と同様に一人のユーザに対してメニュー提案を行う場合の処理の流れについて説明するが、本実施形態の構成を実施形態１に適用してもよい。また、図１２のＳ６１〜Ｓ６５、およびＳ７０〜Ｓ８０はそれぞれ、図１０のＳ３１〜Ｓ３５、およびＳ４１〜Ｓ５１と同様であるため、ここでの説明を省略する。
【００６８】
レシピ選定部２５はレシピを選定すると、レシピ選定通知を電子レンジ４に送信する（Ｓ６６）。レシピ取得部４６はレシピ選定通知を受信すると、表示制御部４９にその旨を示す画面の生成を指示する。表示制御部４９は、当該指示に従って当該画面を生成し、表示部４３に表示させる。具体的には、ユーザのタッチ操作を受け付けることが可能な、お知らせボタン７１を含む画面を表示部４３に表示させる。
【００６９】
続いて、電子レンジ４はメッセージの出力指示を待機する状態となっている（Ｓ６７）。ここで、お知らせボタン７１にタッチする操作を操作部４４が検知したことにより、音声制御部４８が、新しいレシピ提示があることを示す音声データ（メッセージ）を音声出力部４５に出力させると（Ｓ６７でＹＥＳ）、メッセージを出力したことを示す情報をレシピ取得部４６に出力する。レシピ取得部４６は当該情報を取得するとメッセージ確認通知をサーバ２に送信する（Ｓ６８）。レシピ選定部２５は、メッセージ確認通知を受信すると、レシピＤＬ指示を電子レンジ４に送信する（Ｓ６９）。
【００７０】
以上のように、本実施形態に係るレシピ供給システム１では、電子レンジ４はレシピ選定通知を受信すると、その旨を示す画面を生成し、表示する。当該画面はお知らせボタン７１を含んでおり、お知らせボタン７１にユーザがタッチする操作を検出すると、新しいレシピ提示があることを示す音声（メッセージ）を出力し、サーバ２が選定したレシピをダウンロードする。これにより、本実施形態に係るレシピ供給システム１は、レシピが選定されたことをユーザに報知することができるとともに、ユーザの活動量に応じて選定されたレシピを、電子レンジ４にダウンロードさせることができる。
【００７１】
なお、メッセージが出力された後、ユーザが操作部４４を操作したことをレシピ取得部４６が検知したとき、サーバ２が選定したレシピをダウンロードする構成であってもよい。例えば、ダウンロードを開始するためのＵＩ（不図示）がタッチされたことを検知したとき、サーバ２が選定したレシピをダウンロードしてもよい。また、サーバ２は複数のレシピを選定してもよい。この場合、表示制御部４９は、当該複数のレシピを示す画面を表示部４３に表示する。そして、ユーザが操作部４４を操作することによって選択されたレシピをダウンロードする。
【００７２】
また、本実施形態ではメッセージを出力したことに応じてレシピのデータの取得を開始していたが、メッセージの出力とレシピのデータの取得は同時に行われてもよいし、レシピのデータの取得開始が、メッセージの出力より前であってもよい。
【００７３】
〔変形例〕
上述した実施形態１〜３では、活動量計５は携帯端末３を介して活動量データをサーバ２に送信していた。しかしながら、本発明はこの例に限定されず、活動量計５は活動量データをサーバ２に直接送信してもよい。
【００７４】
また、上述した実施形態１〜３では、サーバ２は、携帯端末３から受信したユーザの活動量データに応じてレシピを選定していた。しかしながら、本発明はこの例に限定されず、活動量データ以外のバイタルデータ（すなわち、活動量計５以外の装置が計測したバイタルデータ）に応じてレシピを選定してもよい。なお、活動量データ以外のバイタルデータを用いたレシピの選定については、既存の技術を用いることができるため、ここでの説明を省略する。
【００７５】
また、上述した実施形態１〜３では、サーバ２は電子レンジ４からのレシピＤＬ要求を受信してからレシピのデータを電子レンジ４に送信していた。しかしながら、本発明はこの例に限定されず、サーバ２は携帯端末３からレシピＤＬ指示を受信したとき、または電子レンジ４からメッセージ確認通知を受信したときに、レシピを電子レンジ４に送信してもよい。
【００７６】
また、上述した実施形態１〜３では、サーバ２から携帯端末３へユーザ評価を促す通知があってから、料理に対するユーザ評価を入力する構成であった。しかしながら、本発明はこの例に限定されず、ユーザは当該通知の前にユーザ評価を入力可能であってもよい。例えば、図５に示す調理ログ画像６４を含む画面において、調理ログ画像６４における「未評価」のテキストデータが、図６に示す画面へのリンクとなっていてもよい。これにより、ユーザは上記通知を受けなくとも、当該リンクを選択することで、料理を評価することができる。
【００７７】
また、上述した実施形態１〜３にて説明したサーバ２の機能を、携帯端末３または電子レンジ４が備えてもよい。すなわち、活動量計５または携帯端末３から取得した活動量データ（バイタルデータ）の解析、および活動量データに応じたレシピの選定を携帯端末３または電子レンジ４が行ってもよい。上記の処理を行う携帯端末３は電子レンジ４を使用するユーザが属するグループ（家族）のメンバの携帯端末３のうち、いずれかであってもよく、また、携帯端末３が上記の処理を行う場合、レシピＤＬ指示は携帯端末３から電子レンジ４に直接送信してもよい。このような構成の場合、サーバ２は省略可能である。
【００７８】
〔実施形態４〕
上記各実施形態では、１つのサーバ２を用いる例を説明したが、サーバ２の有する各機能が、個別のサーバにて実現されていてもよい。そして、複数のサーバを適用する場合においては、各サーバは、同じ事業者によって管理されていてもよいし、異なる事業者によって管理されていてもよい。
【００７９】
〔実施形態５〕
サーバ２、携帯端末３、電子レンジ４の各ブロックは、集積回路（ＩＣチップ）等に形成された論理回路（ハードウェア）によって実現してもよいし、ＣＰＵ（Central Processing Unit）を用いてソフトウェアによって実現してもよい。後者の場合、サーバ２、携帯端末３、電子レンジ４のそれぞれを、図１３に示すようなコンピュータ（電子計算機）を用いて構成することができる。
【００８０】
図１３は、サーバ２、携帯端末３、電子レンジ４として利用可能なコンピュータ９１０の構成を例示したブロック図である。コンピュータ９１０は、バス９１１を介して互いに接続された演算装置９１２と、主記憶装置９１３と、補助記憶装置９１４と、入出力インターフェース９１５と、通信インターフェース９１６とを備えている。演算装置９１２、主記憶装置９１３、および補助記憶装置９１４は、それぞれ、例えばＣＰＵ、ＲＡＭ（random access memory）、ハードディスクドライブであってもよい。入出力インターフェース９１５には、ユーザがコンピュータ９１０に各種情報を入力するための入力装置９２０、および、コンピュータ９１０がユーザに各種情報を出力するための出力装置９３０が接続される。入力装置９２０および出力装置９３０は、コンピュータ９１０に内蔵されたものであってもよいし、コンピュータ９１０に接続された（外付けされた）ものであってもよい。例えば、入力装置９２０は、キーボード、マウス、タッチセンサなどであってもよく、出力装置９３０は、ディスプレイ、プリンタ、スピーカなどであってもよい。また、タッチセンサとディスプレイとが一体化されたタッチパネルのような、入力装置９２０および出力装置９３０の双方の機能を有する装置を適用してもよい。そして、通信インターフェース９１６は、コンピュータ９１０が外部の装置と通信するためのインターフェースである。
【００８１】
補助記憶装置９１４には、コンピュータ９１０をサーバ２、携帯端末３、電子レンジ４として動作させるための各種のプログラムが格納されている。そして、演算装置９１２は、補助記憶装置９１４に格納された上記プログラムを主記憶装置９１３上に展開して該プログラムに含まれる命令を実行することによって、コンピュータ９１０を、サーバ２、携帯端末３、電子レンジ４が備える各部として機能させる。なお、補助記憶装置９１４が備える、プログラム等の情報を記録する記録媒体は、コンピュータ読み取り可能な「一時的でない有形の媒体」であればよく、例えば、テープ、ディスク、カード、半導体メモリ、プログラマブル論理回路などであってもよい。
【００８２】
また、上記プログラムは、コンピュータ９１０の外部から取得してもよく、この場合、任意の伝送媒体（通信ネットワークや放送波等）を介して取得してもよい。そして、本発明は、上記プログラムが電子的な伝送によって具現化された、搬送波に埋め込まれたデータ信号の形態でも実現され得る。
【００８３】
〔まとめ〕
本発明の態様１に係るシステム（レシピ供給システム１）は、レシピが示す料理を調理する調理装置（電子レンジ４）、ユーザのバイタルデータを計測するセンサ（活動量計５）、上記調理装置が調理可能な複数の料理のレシピを管理する管理装置（サーバ２）、および上記管理装置へ処理の実行を指示する指示装置（携帯端末３）を含み、上記調理装置に対して、上記レシピを供給するシステムであって、上記システムは、以下を含む；上記管理装置において、上記複数の料理のレシピから、上記センサが計測した１または複数のユーザの上記バイタルデータに応じてレシピを選定する選定部（レシピ選定部２５）、選定された上記レシピを示す画面を上記指示装置または上記調理装置に表示させる表示制御部（表示制御部３８、表示制御部４９）、上記画面に示されたレシピのうち、上記指示装置または上記調理装置が受け付けたユーザ操作によってユーザに確認または選択されたレシピのデータを上記管理装置から上記調理装置に送信するための送信処理の開始を上記指示装置または上記調理装置から上記管理装置に指示する指示部（操作処理部３７、レシピ取得部４６）、確認または選択された上記レシピのデータを上記管理装置から上記調理装置に送信する送信部（レシピ選定部２５）。
【００８４】
上記の構成によれば、管理装置においてユーザのバイタルデータに応じて選定されたレシピを示す画面を、調理装置または指示装置に表示し、表示されたレシピのうち、ユーザに確認または選択されたレシピのデータを管理装置から調理装置に送信する。これによりユーザは、ユーザの活動量に応じて選定されたレシピを確認し、調理装置に当該レシピを送信することができる。また、レシピは調理装置が調理可能な複数の料理のレシピから選定されるので、選定されたレシピを管理装置から調理装置に送信することによって、当該レシピが示す料理を調理装置にて調理することができる。よって、調理装置と連動した、食事による健康管理をユーザに行わせることができる。
【００８５】
本発明の態様２に係るシステムは、上記態様１において、上記選定部は、上記複数の料理のレシピから、上記センサが計測した、上記調理装置を使用するユーザが属するグループの各メンバの上記バイタルデータに応じてレシピを選定してもよい。
【００８６】
上記の構成によれば、家族の各メンバの活動量データに応じてレシピを選定するので、ユーザに家族単位のメニュー提案を行うことができる。
【００８７】
本発明の態様３に係るシステムは、上記態様１または２において、上記選定部は、上記調理装置が過去に調理した料理の名称、または、当該名称および当該名称が示す料理に対するユーザの評価に応じてレシピを選定してもよい。
【００８８】
上記の構成によれば、バイタルデータの他に、過去に調理装置が調理した料理の名称、または、当該料理の名称および当該名称が示す料理に対するユーザの評価に応じてレシピを選定するので、よりユーザが満足するようなメニュー提案を行うことができる。例えば、料理の名称を参照することで、過去にユーザが食べた料理のレシピを選定対象から除外することなどができる。また、料理の名称およびユーザの評価を参照することで、過去にユーザが食べた料理の中から、ユーザの評価が高いものを優先的に選定することなどができる。
【００８９】
本発明の態様４に係る指示装置（携帯端末３）は、調理装置（電子レンジ４）が調理可能な複数の料理のレシピを管理する管理装置（サーバ２）へ指示を送信する指示装置であって、上記指示装置は、以下を含む；上記管理装置において、上記複数の料理のレシピから、センサ（活動量計５）が計測した１または複数のユーザのバイタルデータに応じて選定されたレシピを示す画面を表示部に表示させる表示制御部（表示制御部３８）、上記画面に示された上記レシピのうち、操作部が受け付けたユーザ操作によって確認または選択されたレシピのデータを上記管理装置から上記調理装置に送信するための送信処理の開始を上記管理装置に指示する指示部（操作処理部３７）。
【００９０】
上記の構成によれば、ユーザのバイタルデータに応じて選定されたレシピを示す画面を表示し、当該レシピのうち、ユーザに確認または選択されたレシピのデータの送信処理の開始を管理装置に指示する。これによりユーザは、ユーザの活動量に応じて選定されたレシピを確認した上で、当該レシピを管理装置から調理装置に送信することができる。また、レシピは調理装置が調理可能な複数の料理のレシピから選定されるので、選定されたレシピを管理装置から調理装置に送信することによって、当該レシピが示す料理を調理装置にて調理することができる。よって、調理装置と連動した、食事による健康管理をユーザに行わせることができる。
【００９１】
本発明の態様５に係る管理装置（サーバ２）は、調理装置（電子レンジ４）が調理可能な複数の料理のレシピを管理する管理装置であって、上記管理装置は、以下を含む；上記複数の料理のレシピから、センサ（活動量計５）が計測した１または複数のユーザのバイタルデータに応じてレシピを選定する選定部（レシピ選定部２５）、上記選定部が選定したレシピのうち、上記管理装置に指示を送信する指示装置（携帯端末３）または上記調理装置がユーザに操作されることによって確認または選択されたレシピのデータを上記調理装置に送信する送信部（レシピ選定部２５）。
【００９２】
上記の構成によれば、ユーザのバイタルデータに応じてレシピを選定し、選定されたレシピのうち、ユーザに選択されたレシピのデータを調理装置に送信するので、調理装置と連動した、食事による健康管理をユーザに行わせることができる。
【００９３】
本発明の態様６に係る調理装置（電子レンジ４）は、調理可能な複数の料理のレシピから選定されたレシピが示す料理を調理する調理装置であって、上記調理装置は、以下を含む；上記複数の料理のレシピから、センサが計測した１または複数のユーザのバイタルデータに応じてレシピを選定する管理装置が送信した、上記レシピを選定したことを示すレシピ選定通知を受信する受信部（レシピ取得部４６）、上記レシピ選定通知に応じたメッセージを当該ユーザに報知する報知部（音声制御部４８）、選定された上記レシピのデータを上記管理装置から取得する取得部（レシピ取得部４６）。
【００９４】
上記の構成によれば、受信したレシピ選定通知に応じたメッセージをユーザに報知するとともに、選定されたレシピを管理装置から取得する。これにより、ユーザの活動量に応じてレシピが選定されたことを、報知したうえで取得することができるので、調理装置と連動した、食事による健康管理をユーザに行わせることができる。
【００９５】
本発明の各態様に係る指示装置、管理装置、調理装置は、コンピュータによって実現してもよく、この場合には、コンピュータを上記指示装置、管理装置、調理装置が備える各部（ソフトウェア要素）として動作させることにより上記指示装置、管理装置、調理装置をコンピュータにて実現させる指示装置、管理装置、調理装置の制御プログラム、およびそれを記録したコンピュータ読み取り可能な記録媒体も、本発明の範疇に入る。
【００９６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００９７】
１  レシピ供給システム（システム）
２  サーバ（管理装置）
３  携帯端末（指示装置）
４  電子レンジ（調理装置）
５  活動量計（センサ）
２５  レシピ選定部（選定部、送信部）
３３  表示部
３４  操作部
３７  操作処理部（指示部）
３８  表示制御部
４６  レシピ取得部（指示部、受信部、取得部）
４８  音声制御部（報知部）
【図１】
2017054169.tif 000003
【図２】
2017054169.tif 000004
【図３】
2017054169.tif 000005
【図４】
2017054169.tif 000006
【図５】
2017054169.tif 000007
【図６】
2017054169.tif 000008
【図７】
2017054169.tif 000009
【図８】
2017054169.tif 000010
【図９】
2017054169.tif 000011
【図１０】
2017054169.tif 000012
【図１１】
2017054169.tif 000013
【図１２】
2017054169.tif 000014
【図１３】
2017054169.tif 000015